(57)【要約】【課題】従来よりも高い防水性能が得られる電子機器の防水構造を提供する。【解決手段】本発明に係る電子機器の防水構造は、筐体１の開口部５の周囲に形成された座面14と、蓋２の裏面に取り付けられて蓋２が閉じられたときに座面14に密着可能なパッキン部材３とを具えている。筐体１の座面14には、開口部５を包囲して環状に延びる突条６が形成されている。パッキン部材３は、ベース部31と、ベース部31の表面に形成されて蓋２が閉じられたときに突条６がその全長に亘って圧接されるべき凸部33と、ベース部31の表面に凸部33を包囲して形成されて蓋２が閉じられたときに筐体１の座面14に圧接されるべき外周リブ32とを具えている。【選択図】図６
2013160822.tif 000002
【特許請求の範囲】
【請求項１】
筐体に設けられた開口部を開閉する蓋を具えた電子機器において、
前記筐体の開口部の周囲に形成された座面と、前記蓋の裏面に取り付けられて蓋が閉じられたときに前記座面に密着可能なパッキン部材とを具え、
前記筐体の座面には、前記開口部を包囲して環状に延びる突条が形成され、前記パッキン部材は、
前記蓋の裏面に設置されるべきベース部と、
前記ベース部の表面に形成されて、蓋が閉じられたときに前記突条がその全長に亘って圧接されるべき凸部と、
前記ベース部の表面に前記凸部を包囲して形成されて、蓋が閉じられたときに前記筐体の座面に圧接されるべき外周リブ
とを具えていることを特徴とする電子機器の防水構造。
【請求項２】
前記蓋は、筐体に対して開閉可能に連結され、筐体と蓋との間に設けた係止機構によって閉じ位置にロックされる請求項１に記載の防水構造。
【請求項３】
前記パッキン部材の凸部は、筐体の開口部及び突条を覆うことの出来る外形に形成されている請求項１又は請求項２に記載の防水構造。
【請求項４】
前記パッキン部材の凸部は、表面が平面に形成されている請求項１乃至請求項３の何れかに記載の防水構造。
【請求項５】
前記筐体の突条とパッキン部材の外周リブはそれぞれ、断面山形に形成されている請求項１乃至請求項４の何れかに記載の防水構造。
【発明の詳細な説明】
【技術分野】
【０００１】
本発明は、デジタルカメラ等の電子機器の防水構造に関するものである。
【背景技術】
【０００２】
従来、デジタルカメラ等の電子機器においては、筐体にＵＳＢコネクター等のジャックの開口部を覆って蓋が開閉可能に取り付けられている。
筐体の開口部に対して蓋が開閉可能に取り付けられている電子機器においては、筐体の防水を図るべく、蓋の裏面に、蓋を閉じた状態で開口部を包囲する環状の防水パッキンが配備される(例えば特許文献１)。
【０００３】
この様な電子機器において蓋を閉じると、筐体と蓋の間で防水パッキンが挟圧されて、防水が図られる。
【先行技術文献】
【特許文献】
【０００４】
【特許文献１】特開平１１−２５８６７７号公報
【発明の概要】
【発明が解決しようとする課題】
【０００５】
しかしながら、ユーザが蓋の開閉操作を行なうことが前提となっている電子機器においては、蓋の開閉操作を容易なものとするために、ビス等の締結構造によらずフック機構等の係止構造によって蓋を閉じ位置にロックすることが行なわれるので、蓋が閉じ位置にロックされた状態での防水パッキンに対する挟圧力は、比較的小さなものとならざるを得ない。
【０００６】
この結果、防水パッキンが発揮すべき防水性能は、ビス等の締結によって蓋を閉じ位置にロックする構造における防水性能と比較して低いものとなり、筐体内へ水が浸入する虞があった。
【０００７】
そこで本発明の目的は、従来よりも高い防水性能が得られる電子機器の防水構造を提供することである。
【課題を解決するための手段】
【０００８】
本発明に係る電子機器は、筐体(１)に設けられた開口部(５)を開閉する蓋(２)を具え、防水構造として、前記筐体(１)の開口部(５)の周囲に形成された座面(14)と、前記蓋(２)の裏面に取り付けられて蓋(２)が閉じられたときに前記座面(14)に密着可能なパッキン部材(３)とを具えている。
【０００９】
前記筐体(１)の座面(14)には、前記開口部(５)を包囲して環状に延びる突条(６)が形成されている。又、前記パッキン部材(３)は、
前記蓋(２)の裏面に設置されるべきベース部(31)と、
前記ベース部(31)の表面に形成されて、蓋(２)が閉じられたときに前記突条(６)がその全長に亘って圧接されるべき凸部(33)と、
前記ベース部(31)の表面に前記凸部(33)を包囲して形成されて、蓋(２)が閉じられたときに前記筐体(１)の座面(14)に圧接されるべき外周リブ(32)
とを具えている。
【００１０】
具体的態様において、前記蓋(２)は、筐体(１)に対して開閉可能に連結され、筐体(１)と蓋(２)との間に設けた係止機構によって閉じ位置にロックされる。
【００１１】
他の具体的態様において、前記パッキン部材(３)の凸部(33)は、筐体(１)の開口部(５)及び突条(６)を覆う領域に形成されている。
【００１２】
更に他の具体的態様において、筐体(１)の突条(６)とパッキン部材(３)の外周リブ(32)はそれぞれ、断面山形に形成されている。
【００１３】
上記本発明の電子機器の防水構造においては、蓋(２)を閉じ位置にロックすると、筐体(１)の突条(６)がパッキン部材(３)の凸部(33)に圧接されて、凸部(33)が突条(６)の形状に応じて凹む様に弾性変形すると共に、パッキン部材(３)の外周リブ(32)が筐体(１)の座面(14)に圧接されて、外周リブ(32)が押し潰される様に弾性変形する。
これによって、筐体(１)の突条(６)とパッキン部材(３)の凸部(33)の間に内周側のシール部が形成されると共に、筐体(１)の座面(14)とパッキン部材(３)の外周リブ(32)との間に外周側のシール部が形成されることになる。
【００１４】
この状態で外部から水が浸入せんとしても、先ず外周側のシール部により水の浸入が阻止され、更に内周側のシール部により水の浸入が阻止されて、２重の防水が図られる。
従って、蓋(２)の閉じ位置でパッキン部材(３)に作用する挟圧力が不十分であるために、仮に外周側のシール部を通過して僅かな水が浸入したとしても、内周側のシール部によってそれ以上の水の浸入は阻止されることになる。
【発明の効果】
【００１５】
本発明に係る電子機器の防水構造によれば、従来よりも高い防水性能が得られる。
【図面の簡単な説明】
【００１６】
【図１】図１は、本発明を実施したデジタルカメラの前面側を示す斜視図である。
【図２】図２は、該デジタルカメラの背面側を示す斜視図である。
【図３】図３は、該デジタルカメラにおいて蓋を開いた状態を示す斜視図である。
【図４】図４は、蓋を開いた状態の要部を拡大して示す斜視図である。
【図５】図５は、蓋を閉じた状態の要部を拡大して示す断面図である。
【図６】図６は、蓋を開いた状態における防水構造の断面図である。
【図７】図７は、蓋を閉じた状態における防水構造の断面図である。
【発明を実施するための形態】
【００１７】
以下、本発明をデジタルカメラに実施した形態につき、図面に沿って具体的に説明する。
本発明の一実施形態であるデジタルカメラは、図１及び図２に示す如く、筐体(１)の前面に撮影窓(11)を具えると共に、筐体(１)の背面にディスプレイ(12)や操作キー(13)を具えている。
【００１８】
又、筐体(１)の側面には蓋(２)が配備されており、該蓋(２)を開くことによって、図３に示す如く、筐体(１)に設けられた２つの開口部(５)(５)を露出させ、これらの開口部(５)(５)の奥部に配備されているＵＳＢジャック(図示省略)にＵＳＢプラグを連結することが可能となる。
【００１９】
図４に示す如く、蓋(２)は、その基端部が筐体(１)の枢軸(４)により枢支されて、開閉可能に筐体(１)に連結されている。
又、筐体(１)には係止片(７)が設けられると共に、蓋(２)には係止受部(71)が設けられて、蓋(２)を閉じ位置でロックするための係止機構が構成されている。蓋(２)をロックする際には、蓋(２)を枢軸(４)回りに回転させて閉じた後、該蓋(２)を枢軸(４)側へスライドさせることによって、係止片(７)を係止受部(71)に係合させる。
【００２０】
蓋(２)の裏面には、弾性材料(例えばシリコンゴム)を一体成型してなるパッキン部材(３)が貼着固定されている。
一方、筐体(１)には、２つの開口部(５)(５)の周囲に、合成樹脂部材の表面からなる座面(14)が形成されている。該座面(14)には、各開口部(５)の開口縁に、開口部(５)を包囲して延びる環状の突条(６)が形成されている。
【００２１】
パッキン部材(３)は、蓋(２)の裏面に設置されるべき平板状のベース部(31)と、ベース部(31)の表面中央部に形成された凸部(33)と、該凸部(33)を包囲して形成された環状の外周リブ(32)とを具えている。
【００２２】
筐体(１)に対して蓋(２)を閉じてロックすることにより、図５に示す如く、筐体(１)の座面(14)に対して蓋(２)のパッキン部材(３)の表面が圧接され、該パッキン部材(３)によって開口部(５)がシールされることになる。
【００２３】
図６に示す如く、パッキン部材(３)の凸部(33)は、筐体(１)の開口部(５)及び突条(６)を覆うことの出来る平板状に突設され、外周リブ(32)は、筐体(１)の座面(14)へ向けて突出する断面山形に形成されている。
又、筐体(１)の突条(６)は、開口部(５)の開口縁に、座面(14)からパッキン部材(３)側へ突出する断面山形に形成されている。
【００２４】
筐体(１)に対して蓋(２)が閉じられてロックされることにより、図７に示す如く、筐体(１)の突条(６)がパッキン部材(３)の凸部(33)に圧接されて、凸部(33)が突条(６)の形状に応じて凹む様に弾性変形すると共に、パッキン部材(３)の外周リブ(32)が筐体(１)の座面(14)に圧接されて、外周リブ(32)が押し潰される様に弾性変形する。
これによって、筐体(１)の突条(６)とパッキン部材(３)の凸部(33)の間に内周側のシール部が形成されると共に、筐体(１)の座面(14)とパッキン部材(３)の外周リブ(32)との間に外周側のシール部が形成される。
【００２５】
又、第１のシール部と第２のシール部との間に、密閉された環状の空間が形成されることになる。
【００２６】
この状態で外部から水が浸入せんとしても、先ず外周側のシール部により水の浸入が阻止され、更に内周側のシール部により水の浸入が阻止されて、２重の防水が図られる。
従って、蓋(２)の閉じ位置でパッキン部材(３)に作用する挟圧力が不十分であるために、仮に外周側のシール部を通過して僅かな水が浸入したとしても、内周側のシール部によってそれ以上の水の浸入は阻止されることになる。
【００２７】
又、第１のシール部と第２のシール部の内、何れか一方のシール部に、例えば髪の毛が挟まることによって、そのシール部の防水性能が低下したとしても、他方のシール部が十分なシール性能を発揮するので、開口部(５)への水の浸入が阻止される。
【００２８】
更に又、筐体(１)の開口部(５)を包囲して突条(６)が形成されているので、蓋(２)を開いたときに、例えば座面(14)に付着していた水滴が座面(14)に沿って開口部(５)側へ流れたとしても、突条(６)によってその水滴の流れが堰き止められるので、開口部(５)への水の浸入が阻止される。
【００２９】
尚、本発明の各部構成は上記実施の形態に限らず、特許請求の範囲に記載の技術的範囲内で種々の変形が可能である。例えば、パッキン部材(３)の凸部(33)は、図示する形状に限らず、開口部(５)を包囲して延びる環状であってもよい。
又、パッキン部材(３)の外周リブ(32)や筐体(１)の突条(６)は、断面山形に限らず、例えば断面半円状であってもよい。
【００３０】
更に又、本発明の防水構造は、コネクターを構成するジャックの開口部を塞ぐ蓋のシール構造に限らず、例えばメモリカードや電池の収容室の開口部を塞ぐ蓋のシール構造に実施することも可能である。
【符号の説明】
【００３１】
(１)  筐体
(14)  座面
(２)  蓋
(３)  パッキン部材
(31)  ベース部
(32)  外周リブ
(33)  凸部
(５)  開口部
(６)  突条
【図１】
2013160822.tif 000003
【図２】
2013160822.tif 000004
【図３】
2013160822.tif 000005
【図４】
2013160822.tif 000006
【図５】
2013160822.tif 000007
【図６】
2013160822.tif 000008
【図７】
2013160822.tif 000009